(57)【要約】【課題】送受信によって埋め込み情報が削除または変更されるのを防ぐことができる画像データを表示可能な電気機器を提供する。【解決手段】加熱調理器は、予め定めた階調と埋め込み情報との対比によって、画像中に埋め込まれた埋め込み情報を抽出する情報取得部４２００ａを備える。これにより、画像中に埋め込まれた埋め込み情報を抽出するので、正確な埋め込み情報を取得できる。【選択図】図８
2014011680.tif 000002
【特許請求の範囲】
【請求項１】
予め定めた階調と埋め込み情報との対比によって、画像中に埋め込まれた埋め込み情報を抽出する抽出部を備えることを特徴とする情報処理装置。
【請求項２】
請求項１に記載の情報処理装置において、
上記埋め込み情報が埋め込まれる画像は、複数の画素を集合させた色ブロックであることを特徴とする情報処理装置。
【請求項３】
請求項２に記載の情報処理装置において、
上記抽出部は、上記色ブロックの略中央部の色情報に基づいて、上記埋め込み情報を取り出すことを特徴とする情報処理装置。
【請求項４】
請求項３に記載の情報処理装置において、
上記色情報は複数階調で表現される色情報であり、
上記複数階調を上記色情報への割り当て方として、階調に所定の幅を持たせることを特徴とする情報処理装置。
【請求項５】
請求項１から４までのいずれか一項に記載の情報処理装置において、
上記抽出部によって抽出された埋め込み情報を演算することによりデータエラー発生の有無を確認することを特徴とする情報処理装置。
【請求項６】
請求項２から４までのいずれか一項に記載の情報処理装置において、
上記色ブロックを削除して表示することを特徴とする情報処理装置。
【請求項７】
請求項１から６までのいずれか一項に記載の情報処理装置において、
上記抽出部によって抽出された埋め込み情報のデータサイズが所定の値の場合に、上記埋め込み情報を抽出することを特徴とする情報処理装置。
【発明の詳細な説明】
【技術分野】
【０００１】
本発明は、画像データを表示可能な電気機器に関する。
【背景技術】
【０００２】
従来、画像データを表示可能な電気機器としては、特開平８−２８９０６６号公報(特許文献１)に開示されているように、画像のヘッダ情報に埋め込まれた必要な情報を使用するものがある。
【先行技術文献】
【特許文献】
【０００３】
【特許文献１】特開平８−２８９０６６号公報
【発明の概要】
【発明が解決しようとする課題】
【０００４】
ところが、上記画像が他の装置から送られてくるとき、画像のヘッダ情報は削除または変更されてしまうという問題がある。
【０００５】
そこで、本発明の課題は、送受信によって埋め込み情報が削除または変更されるのを防ぐことができる画像データを表示可能な電気機器を提供することにある。
【課題を解決するための手段】
【０００６】
上記課題を解決するため、本発明の画像データを表示可能な電気機器は、
予め定めた階調と埋め込み情報との対比によって、画像中に埋め込まれた埋め込み情報を抽出する抽出部を備えることを特徴としている。
【０００７】
ここで、「埋め込み情報」とは、調理モード、シーケンスデータ、制御温度、制御時間などを、１６進数などによってコード化して表現するバイナイリデータであってもよいし、漢字、ひらがな、カタカナ、数字またはアルファベットを示す文字データであってもよい。
【０００８】
上記構成によれば、上記埋め込み情報は画像中に埋め込まれているので、送受信によって埋め込み情報が削除または変更されるのを防ぐことができる。
【０００９】
また、上記抽出部が、予め定めた階調と埋め込み情報との対比によって、画像中に埋め込まれた埋め込み情報を抽出するので、正確な埋め込み情報を取得できる。
【００１０】
一実施形態の画像データを表示可能な電気機器では、
上記埋め込み情報が埋め込まれる画像は、複数の画素を集合させた色ブロックである。
【００１１】
上記実施形態によれば、上記埋め込み情報が埋め込まれる画像は、複数の画素を集合させた色ブロックであるので、埋め込み情報の取り扱いが容易になる。
【００１２】
一実施形態の画像データを表示可能な電気機器では、
上記抽出部は、上記色ブロックの略中央部の色情報に基づいて、上記埋め込み情報を取り出す。
【００１３】
上記実施形態によれば、上記色ブロックの略中央の色情報は圧縮で変化しにくい。したがって、上記抽出部が、色ブロックの略中央部の色情報に基づいて、埋め込み情報を取り出すことにより、抽出部が取り出した埋め込み情報の信頼性を高めることができる。
【００１４】
一実施形態の画像データを表示可能な電気機器では、
上記色情報は複数階調で表現される色情報であり、
上記複数階調を上記色情報への割り当て方として、階調に所定の幅を持たせる。
【００１５】
上記実施形態によれば、上記複数階調を色情報への割り当て方として、階調に所定の幅を持たせるので、色情報を圧縮することで、色情報に割り当てた階調が変化しても、変化後の階調を変化前の階調とみなすことができる。したがって、上記色情報を圧縮しても、圧縮後の色情報から埋め込み情報を確実に取得できる。
【００１６】
一実施形態の画像データを表示可能な電気機器では、
上記抽出部によって抽出された埋め込み情報を演算することによりデータエラー発生の有無を確認する。
【００１７】
上記実施形態によれば、上記抽出部によって抽出された埋め込み情報を演算することによりデータエラー発生の有無を確認するので、埋め込み情報の信頼性の高低を判定できる。
【００１８】
一実施形態の画像データを表示可能な電気機器では、
上記色ブロックを削除して表示する。
【００１９】
上記実施形態によれば、上記色ブロックを削除して表示するので、表示の自由度を高めることができる。
【００２０】
一実施形態の画像データを表示可能な電気機器では、
上記抽出部によって抽出された埋め込み情報のデータサイズが所定の値の場合に、上記埋め込み情報を抽出する。
【００２１】
上記実施形態によれば、上記抽出部によって抽出された埋め込み情報のデータサイズが所定の値の場合に、埋め込み情報を抽出するので、所望の埋め込み情報だけを取得できる。
【００２２】
ところで、上記従来の電気機器の問題を解決する方法としては、画像のための画像情報に、つまり、画像の表示に直接影響を及ぼす情報に、必要な情報を埋め込む方法が考えられる。
【００２３】
しかしながら、上記方法を採用すると、必要な情報による画像が表示部の画面に表示されてしまって、表示部の表示の自由度が低下してしまうという新たな問題が生じてしまう。
【００２４】
そこで、本発明の電気機器は、
表示装置と、
上記表示装置の画面に表示可能な画像を受信する画像受信装置と、
上記表示装置を制御する制御装置と
を備え、
上記制御装置は、
上記画像受信装置で受信した画像のための情報が、有意の画像のための有意画像情報と、無意の画像のための無意画像情報とを含んでいるか否かを判定する画像判定手段と、
上記画像判定手段によって、上記画像受信装置で受信した画像のための情報が上記有意画像情報と上記無意画像情報とを含んでいると判定されたとき、上記有意の画像は上記表示装置の画面に表示されるようにする一方、上記無意の画像は上記表示装置の画面に表示されないようにする画像表示選択手段と
を有することを特徴としている。
【００２５】
ここで、「有意の画像」とは、例えば写真画像や文字画像などの画像のように、ユーザーの視覚に訴えかけることを目的として作成される画像である。したがって、「有意画像情報」は「有意の画像」を得るために作成されるものである。
【００２６】
また、「無意の画像」とは、データを作成した結果得られる画像である。したがって、「無意画像情報」は「無意の画像」を得るために作成されるものではない。
【００２７】
上記構成によれば、上記画像判定手段によって、画像受信装置で受信した画像のための情報が有意画像情報と無意画像情報とを含んでいると判定されたとき、有意の画像は表示装置の画面に表示されるようにする一方、無意の画像は表示装置の画面に表示されないようにするので、表示部の表示の自由度が低下するのを防ぐことができる。
【００２８】
また、上記無意の画像が表示装置の画面に表示されなくなっても、無意の画像のための無意画像情報は取得できる。そして、上記無意画像情報は、無意の画像のためのものであるから、例えばヘッダ情報に比べて、削除、変更の可能性が低い。したがって、上記無意画像情報を使って、電気機器に必要な情報を正確かつ確実に伝えることができる。
【００２９】
一実施形態の電気機器では、
上記無意の画像は、複数の画素からなる色ブロックである。
【００３０】
上記実施形態によれば、上記無意の画像は、複数の画素からなる色ブロックであるので、無意の画像を非可逆形式で圧縮しても、無意画像情報の劣化を防ぐことができる。
【００３１】
一実施形態の電気機器では、
上記色ブロックは、ＲＧＢ関数によって指定される色を呈する。
【００３２】
上記実施形態によれば、上記色ブロックは、ＲＧＢ関数によって指定される色を呈するので、色ブロックに持たせることができる情報を増やすことができる。
【００３３】
一実施形態の電気機器では、
上記色ブロックの色を表す情報であって、色に対して予め定められた範囲内に入っている情報は、同じ情報として取り扱われる。
【００３４】
上記実施形態によれば、上記色ブロックの色を表す情報であって、色に対して予め定められた範囲内に入っている情報は、同じ情報として取り扱われるので、色ブロックの色を表す情報が何らかの原因で変化しても、色ブロックの色を表す情報による間違いを防ぐことができる。
【００３５】
一実施形態の電気機器では、
上記制御装置は、上記色ブロックの中央部に基づいて、上記無意画像情報を取得する情報取得手段を有する。
【００３６】
上記実施形態によれば、上記情報取得手段は、色ブロックの中央部に基づいて、無意画像情報を取得するので、無意画像情報の信頼性を高めることができる。
【００３７】
一実施形態の電気機器では、
上記画像判定手段は、
上記画像受信装置で受信した画像のサイズが予め定められた画像サイズであるとき、
上記画像受信装置で受信した画像のためのチェックサムで誤りが検出されないとき、または、
上記画像受信装置で受信した画像のための情報が特定コードを含んでいるとき、
上記画像受信装置で受信した画像のための情報が上記有意画像情報と上記無意画像情報とを含んでいると判定する。
【００３８】
上記実施形態によれば、上記画像判定手段は、画像受信装置で受信した画像のサイズが予め定められた画像サイズであるとき、画像受信装置で受信した画像のためのチェックサムで誤りが検出されないとき、または、画像受信装置で受信した画像のための情報が特定コードを含んでいるとき、画像受信装置で受信した画像のための情報が有意画像情報と無意画像情報とを含んでいると判定するので、画像判定手段の判定の信頼性を高めることができる。
【００３９】
一実施形態の電気機器は、
上記画像判定手段によって、上記画像受信装置で受信した画像のための情報が上記有意画像情報と上記無意画像情報とを含んでいると判定されたとき、上記無意画像情報による機種が予め定められた機種と一致するか否かを判定する機種判定手段と、
上記機種判定手段によって、上記画像受信装置で受信した画像のための情報による機種が予め定められた機種と一致すると判定されたとき、上記有意の画像に関連する文字を含む画像が、上記有意の画像と共に、上記表示装置の画面に表示されるようにする文字画像表示手段と
を備える。
【００４０】
上記実施形態によれば、上記機種判定手段によって、画像受信装置で受信した画像のための情報による機種が予め定められた機種と一致すると判定されたとき、文字画像表示手段は、有意の画像に関連する文字を含む画像が、有意の画像と共に、表示装置の画面に表示されるようにするので、有意の画像に関連する文字を含む画像の表示に基づいて、機種の一致または不一致を知ることができる。
【発明の効果】
【００４１】
本発明の画像データを表示可能な電気機器は、送受信によって埋め込み情報が削除または変更されるのを防ぐことができる。
【図面の簡単な説明】
【００４２】
【図１】図１はサーバ装置の概略構成のブロック図である
【図２】図２は上記サーバ装置の表示部の画面に表示する画像を示す図である。
【図３】図３は図２の一部の拡大図である。
【図４】図４は本発明の一実施形態の加熱調理器の正面斜視図である。
【図５】図５は上記加熱調理器の縦断面の模式図である。
【図６】図６は図４の操作パネルの概略拡大図である。
【図７】図７は図６のＦ７−Ｆ７線矢視の模式断面図である。
【図８】図８は上記加熱調理器の制御ブロック図である。
【図９】図９は色ブロックのＲＧＢ値の変換ルールを説明するための図である。
【図１０】図１０は上記加熱調理器のカラー液晶パネルに表示される初期画面の拡大図を示す図である。
【図１１】図１１は上記カラー液晶パネルに表示された「マイメニュー」の画面を示す図である。
【図１２】図１２は上記カラー液晶パネルに表示された「私の登録メニュー」の画面を示す図である。
【図１３】図１３は登録前のメニュー登録の画面を示す図である。
【図１４】図１４は赤外線受信をスタートさせるための画面を示す図である。
【図１５】図１５は赤外線受信待ち中の画面を示す図である。
【図１６】図１６は赤外線受信中の画面を示す図である。
【図１７】図１７は赤外線受信完了の画面を示す図である。
【図１８】図１８はメニュー登録の画面を示す図である。
【図１９】図１９は登録後のメニュー登録の画面を示す図である。
【図２０】図２０は登録したメニューの加熱処理を開始させるための画面を示す図である。
【図２１】図２１は上記加熱調理器の制御装置の画像の処理方法を説明するための図である。
【図２２】図２２は上記制御装置の処理を説明するためのフローチャートである。
【図２３】図２３は登録後のメニュー登録の他の画面を示す図である。
【図２４】図２４は登録したメニューが変更不可であることを報知するための画面を示す図である。
【図２５】図２５は登録したメニューを変更するための画面を示す図である。
【発明を実施するための形態】
【００４３】
以下、本発明の画像データを表示可能な電気機器を図示の実施の形態により詳細に説明する。
【００４４】
図１は、サーバ装置１の概略構成を示すブロック図である。
【００４５】
上記サーバ装置１は、制御装置１０１、記憶部１０２、操作部１０３、表示部１０４および通信部１０５を備え、メニューに対応するＪＰＥＧ形式の画像を保持、管理する。このＪＰＥＧ形式の画像は、例えばスマートフォン２にダウンロードされた後、そのスマートフォン２から加熱調理器４(図１参照)へ送信される。
【００４６】
上記制御装置１０１は、マイクロコンピュータおよび入出力回路などからなり、記憶部１０２、操作部１０３、表示部１０４および通信部１０５などに接続されている。また、制御装置１０１は、操作部１０３および通信部１０５からの信号に基づいて、記憶部１０２、表示部１０４および通信部１０５などを制御する。
【００４７】
また、上記制御装置１０１は、表示部１０３の画面に表示する有意の画像のための有意画像情報を生成するための有意画像情報生成部１０１ａと、表示部１０３の画面に表示する色ブロックＢ１１，Ｂ１２，…，Ｂ２３０(図３参照)のための色ブロック情報を生成するための色ブロック情報生成部１０１ｂと、表示部１０３の画面において色ブロックＢ１１，Ｂ１２，…，Ｂ２３０と上記有意の画像との間に表示される仕切り画像のための仕切り画像情報を生成するための仕切り画像情報生成部１０１ｃと、画像の形式を変換する画像形式変換部１０１ｄとを有している。
【００４８】
上記有意の画像、色ブロックＢ１１，Ｂ１２，…，Ｂ２３０および仕切り画像は、ＢＭＰ(ビットマップ)形式で作成されるが、画像形式変換部１０１ｄによってＪＰＥＧ形式に変換された後、記憶部１０２に保存される。
【００４９】
上記記憶部１０２は、ハードディスク、フラッシュメモリおよび光学式記録媒体などのうちの少なくとも１つを有している。また、記憶部１０２は様々なプログラムを記憶しており、このプログラムは必要時に記憶部１０２から取り出されて実行される。また、記憶部１０２は、メニューに対応するＪＰＥＧ形式の画像などを記憶する。
【００５０】
上記操作部１０３は、ユーザーが表示部１０４の画面の切り替えなどのために操作するキーボードおよびマウスなどで構成されている。
【００５１】
上記表示部１０４は、ＣＲＴ(Cathode Ray Tube)またはＬＣＤ(Liquid Crystal Display)などのディスプレイ(図示せず)である。この表示部１０４は、記憶部１０２に記憶されたＪＰＥＧ形式の画像などを表示する。
【００５２】
上記通信部１０５は、モデムやターミナルアダプタなどで構成されていて、ネットワーク３を介して、スマートフォン２と通信する。また、図示しないが、通信部１０５は、ネットワーク３を介して、スマートフォン２以外の情報端末とも通信可能である。また、記憶部１０２に記憶されたＪＰＥＧ形式の画像は、通信部１０５からスマートフォン２などの情報端末へ送信できるようになっている。すなわち、スマートフォン２などの情報端末は、サーバ装置１からＪＰＥＧ形式の画像をダウンロードすることができるようになっている。
【００５３】
上記スマートフォン２は、サーバ装置１からダウンロードしたＪＰＥＧ形式の画像を表示する表示部１０４と、そのＪＰＥＧ形式の画像を加熱調理器４に送信するための赤外線発光ダイオード２０２とを備えている。また、図示しないが、スマートフォン２は、サーバ装置と同様に、制御装置、記憶部および通信部なども備えている。
【００５４】
上記ネットワーク３は、サーバ装置１とスマートフォン２などとを通信可能に接続するための通信ネットワークである。このネットワーク３は、例えば、携帯電話ネットワーク、ワイドエリアネットワークおよびローカルエリアネットワークなどのいずれかのネットワークであってもよいし、あるいは、携帯電話ネットワーク、ワイドエリアネットワークおよびローカルエリアネットワークなどを組み合わせたネットワークであってもよい。
【００５５】
図２は、上記表示部１０３の画面に表示する画像Ｇ１００を示す図である。
【００５６】
上記画像Ｇ１００は、メニューの写真を示す第１画像Ｇ１０１と、メニューの料理名を示す第２画像Ｇ１０２と、メニューに対応する機種情報を示す第３画像Ｇ１０３と、第４画像Ｇ１０４とを有している。この第４画像Ｇ１０４は表示部１０３の画面の下側に位置する。より詳しくは、第４画像Ｇ１０４は表示部１０３の画面の下縁部に位置している。なお、第１画像Ｇ１０１は有意の画像の一例であり、第２画像Ｇ１０２は有意の画像に関連する文字を含む画像の一例であり、第４画像Ｇ１０４は無意の画像の一例である。
【００５７】
図３は、上記第４画像Ｇ１０４を拡大して示す図である。
【００５８】
上記第４画像Ｇ１０４は縦２個×横３０個の色ブロックＢ１１，Ｂ１２，…，Ｂ２３０で構成され、この色ブロックＢ１１，Ｂ１２，…，Ｂ２３０がカラーパターンを構成している。また、色ブロックＢ１１，Ｂ１２，…，Ｂ２３０は、表示部１０３の画面の下側に位置する。また、色ブロックＢ１１，Ｂ１２，…，Ｂ２３は、それぞれ、縦８個×横８個の画素からなっていると共に、ＲＧＢ関数によって指定される色を呈する。また、色ブロックＢ１１，Ｂ１２，…，Ｂ２３０は、それぞれ、単一の色を呈するように形成されている。例えば、色ブロックＢ１１内は橙色で一色で塗り潰される。なお、色ブロックＢ１１，Ｂ１２，…，Ｂ２３０のＲＧＢ値は無意画像情報の一例である。また、色ブロックＢ１１，Ｂ１２，…，Ｂ２３０のＲＧＢ値は色情報の一例である。
【００５９】
より詳しくしは、上記色ブロックＢ２１，Ｂ２２，…，Ｂ２１４の色はコード情報に対応し、また、色ブロックＢ２１５，Ｂ２１６，…，Ｂ２２６の色が機種情報に対応し、また、色ブロックＢ２２７，Ｂ２２８，Ｂ２２９，Ｂ２３０，Ｂ１１，Ｂ１２，Ｂ１３，Ｂ１４の色は加熱情報に対応している。ここで、色ブロックＢ１５の色に基づいて、加熱情報のチェックサムを行えるようになっている。また、色ブロックＢ１３０の色に基づいて、トータルのチェックサムを行えるようにもなっている。なお、Ｂ１６，Ｂ１７，…，Ｂ１２９の色は特に情報に対応させていない。
【００６０】
下記表１は、料理を料理指示値に変換するために使用のテーブルであり、色ブロックＢ２２７の色を設定するために使用される。なお、下記表１の料理指示値の１〜１１は埋め込み情報の一例である。
【００６１】
【表１】
2014011680.tif 000003
【００６２】
下記表２は、予熱条件を予熱条件指示値に変換するためのテーブルであり、色ブロックＢ２２８の色を設定するために使用される。なお、下表２の予熱条件指示値の０〜４は埋め込み情報の一例である。
【００６３】
【表２】
2014011680.tif 000004
【００６４】
下記表３は、加熱出力を加熱出力指示値に変換するためのテーブルであり、色ブロックＢ２２９の色を設定するために使用される。下記表３の加熱出力指示値の０〜４は埋め込み情報の一例である。
【００６５】
【表３】
2014011680.tif 000005
【００６６】
下記表４，下記表５は、庫内温度を庫内温度指示値に変換するためのテーブルであり、色ブロックＢ２３０，Ｂ１１の色を設定するために使用される。なお、下記表４，下記表５内の「庫内温度」とは加熱庫１３(図５参照)内の温度を指す。また、下記表４の庫内温度指示値の０〜１５，２５５、および、下記表５の庫内温度指示値の０〜１２，２５５は、埋め込み情報の一例である。
【００６７】
【表４】
2014011680.tif 000006
【００６８】
【表５】
2014011680.tif 000007
【００６９】
上記表１〜表５のテーブルは、記憶部１０２に記憶されていて、ＢＭＰ形式の色ブロックＢ１１，Ｂ１２，…，Ｂ２３０の作成時に使用される。例えば、ＢＭＰ形式の画像Ｇ１００を生成する場合、加熱情報は、予熱なし、５００Ｗ、８０℃、１９分、ＷＯ・グリルとなる。この加熱情報を色ブロックＢ２２７〜Ｂ２３０，Ｂ１１〜Ｂ１４に持たせるには、表１〜表５のテーブルを使用して、色ブロックＢ２２７の色を「９」に対応する色に設定し、また、色ブロックＢ２２８の色を「２」に対応する色に設定し、また、色ブロックＢ２２９の色を「２」に対応する色に設定し、また、色ブロックＢ２３０の色を「２５５」に対応する色に設定し、また、色ブロックＢ１１の色を「９」に対応する色に設定する。このとき、時間については、上記表１〜表５のようなテーブルを使用せずに色を設定する。すなわち、色ブロックＢ１２の色を「０」に対応する色に設定し、また、色ブロックＢ１３の色を「１９」に対応する色に設定し、また、色ブロックＢ１４の色は「０」に対応する色に設定する。
【００７０】
また、上記「９」、「２」、「２」、「２５５」、「９」、「０」、「１９」および「０」に対応する色は、下記表６のテーブルで定まる。具体的には、「９」に対応する色は（Ｒ，Ｇ，Ｂ）＝（１６，４８，４８）で指定される色になり、また、「２」に対応する色は（Ｒ，Ｇ，Ｂ）＝（１６，１６，８０）で指定される色になり、また、「２」に対応する色は（Ｒ，Ｇ，Ｂ）＝（１６，１６，８０）で指定される色になり、また、「２５５」に対応する色は（Ｒ，Ｇ，Ｂ）＝（１１２，２４０，２４０）で指定される色になり、また、「９」に対応する色は（Ｒ，Ｇ，Ｂ）＝（１６，４８，４８）で指定される色になり、また、「０」に対応する色は（Ｒ，Ｇ，Ｂ）＝（１６，１６，１６）で指定される色になり、また、「１９」に対応する色は（Ｒ，Ｇ，Ｂ）＝（１６，８０，１１２）で指定される色になり、また、「０」に対応する色は（Ｒ，Ｇ，Ｂ）＝（１６，１６，１６）で指定される色になる。
【００７１】
下記表６のテーブルは、ＲＧＢ値の各値が、予め定められた範囲(０〜３１、３２〜６３、６４〜９５、９６〜１２７、１２８〜１５９、１６０〜１９１、１９２〜２２３、２２４〜２５５、６４〜９５)の中間値となるように作成されている。また、下記表６のテーブルも、表１〜表５のテーブルと同様に、記憶部１０２に記憶されている。また、下記表６のＲＧＢ値のそれぞれの値は、予め定められた範囲(０〜３１、３２〜６３、６４〜９５、９６〜１２７、１２８〜１５９、１６０〜１９１、１９２〜２２３、２２４〜２５５)の略中間値としている。
【００７２】
【表６】
2014011680.tif 000008
2014011680.tif 000009
2014011680.tif 000010
2014011680.tif 000011
2014011680.tif 000012
2014011680.tif 000013
【００７３】
上記構成のサーバ装置１によれば、色ブロックＢ１１，Ｂ１２，…，Ｂ２３０のためのＲＧＢ値は、例えばヘッダ情報に比べて、削除、変更の可能性が低い。したがって、色ブロックＢ１１，Ｂ１２，…，Ｂ２３０のためのＲＧＢ値の信頼性はヘッダ情報の信頼性よりも高い。
【００７４】
また、上記色ブロックＢ１１，Ｂ１２，…，Ｂ２３０のためのＲＧＢ値は第１画像Ｇ１０１のような有意の画像のためのものではないので、そのＲＧＢ値をコード情報、機種情報および加熱情報などに対応させることができる。
【００７５】
これに対して、上記第１画像Ｇ１０１のためのＲＧＢ値をコード情報、機種情報および加熱情報などに対応させた場合、第１画像Ｇ１０１はメニューの写真を示せなくなってしまう。
【００７６】
また、上記色ブロックＢ１１，Ｂ１２，…，Ｂ２３０は、それぞれ、６４個の画素からなるので、ＢＭＰ形式からＪＰＥＧ形式に変換しても、色ブロックＢ１１，Ｂ１２，…，Ｂ２３０のための元々のＲＧＢ値を残すことができる。すなわち、色ブロックＢ１１，Ｂ１２，…，Ｂ２３０のためのＲＧＢ値の劣化を防ぐことができる。したがって、ＢＭＰ形式の色ブロックＢ１１，Ｂ１２，…，Ｂ２３０をＪＰＥＧ形式に変換しても、ＪＰＥＧ形式の色ブロックＢ１１，Ｂ１２，…，Ｂ２３０のためのＲＧＢ値の信頼性を高めることができる。
【００７７】
また、上記色ブロックＢ１１，Ｂ１２，…，Ｂ２３０はＲＧＢ関数によって指定される色を呈するので、色ブロックＢ１１，Ｂ１２，…，Ｂ２３０に持たせることができる情報を増やすことができる。
【００７８】
また、上記色ブロックＢ１１，Ｂ１２，…，Ｂ２３０が表示部１０３の画面の下縁部に位置するので、第１画像Ｇ１０１が見にくくなるのを防ぐことができる。
【００７９】
また、上記色ブロックＢ１１，Ｂ１２，…，Ｂ２３０が表示部１０３の画面の下側に位置するので、色ブロックＢ１１，Ｂ１２，…，Ｂ２３０のためのＲＧＢ値を迅速に取得できる。
【００８０】
また、上記色ブロックＢ１１，Ｂ１２，…，Ｂ２３０がカラーパターンを構成するので、表示部１０３の画面の美観を向上させることができる。
【００８１】
また、上記表示部１０３の画面において色ブロックＢ１１，Ｂ１２，…，Ｂ２３０と第１画像Ｇ１０１との間に第２画像Ｇ１０２および第３画像Ｇ１０３が表示されるので、色ブロックＢ１１，Ｂ１２，…，Ｂ２３０がＪＰＥＧ形式の変換時に第１画像Ｇ１０１の影響を受けて劣化するのを防ぐことができる。
【００８２】
また、上記色ブロックＢ１１，Ｂ１２，…，Ｂ２３０のためのＲＧＢ値は、上記表６で示すように、予め定められた範囲(０〜３１、３２〜６３、６４〜９５、９６〜１２７、１２８〜１５９、１６０〜１９１、１９２〜２２３、２２４〜２５５)の略中間値としているので、そのＲＧＢ値が何らかの原因で変化しても、変化後のＲＧＢ値が上記範囲内に入っていれば、変化後のＲＧＢ値は変化前のＲＧＢ値と同様に扱うことができる。
【００８３】
また、上記色ブロックＢ１１，Ｂ１２，…，Ｂ２３０は、それぞれ、単一の色を呈するように形成されているので、色ブロックＢ１１，Ｂ１２，…，Ｂ２３０の中央部のためのＲＧＢ値を使って、ＲＧＢ値の誤取得を防ぐことができる。
【００８４】
また、上記色ブロックＢ１１，Ｂ１２，…，Ｂ２３０は縦８個×横８個の画素からなっているので、色ブロックＢ１１，Ｂ１２，…，Ｂ２３０はＪＰＥＧ形式の変換時の圧縮率を７０％にしても、色ブロックＢ１１，Ｂ１２，…，Ｂ２３０のためのＲＧＢ値の劣化を抑制できる。
【００８５】
したがって、上記色ブロックＢ１１，Ｂ１２，…，Ｂ２３０がＢＭＰ形式で形成された後、ＪＰＥＧ形式に変換されたものであっても、色ブロックＢ１１，Ｂ１２，…，Ｂ２３０を加熱調理器４に送ることによって、加熱調理器４は、色ブロックＢ１１，Ｂ１２，…，Ｂ２３０のためのＲＧＢ値に基づいて、コード情報、機種情報および加熱情報などを正確に取得することができる。
【００８６】
図４は、本発明の一実施形態の加熱調理器４の前側を斜め上方から見た斜視図である。
【００８７】
上記加熱調理器４では、直方体形状のケーシング４０１の正面に、下端側の辺を略中心に回動する扉４０２が取り付けられている。この扉４０２の上部にハンドル４０３を取り付けると共に、扉４０２の略中央に耐熱ガラス４０４を取り付けている。また、扉４０２の右側に操作パネル４０５を設けている。この操作パネル４０５はカラー液晶表示部４０６およびボタン群４０７を有している。また、ケーシング４０１の上側かつ右側後方に排気ダクト４０８を設けている。さらに、ケーシング４０１の扉４０２の下方に、露受容器４０９を着脱自在に取り付けている。
【００８８】
図５は、上記加熱調理器４を左右方向に平行な鉛直面で切った断面の模式図である。
【００８９】
上記加熱調理器４では、水タンク４１１から供給された水を蒸気発生装置４１２で加熱して飽和水蒸気を生成する。この蒸気発生装置４１２で生成された飽和水蒸気は、蒸気供給通路(図示せず)を介して、加熱庫４１３の右側面に取り付けられた循環ユニット４１４の蒸気吸込口４１５の加熱庫４１３側に供給される。
【００９０】
上記蒸気供給通路に接続された蒸気供給管４３４を、加熱庫４１３の右側面と平行になるように、循環ユニット４１４の蒸気吸込口４１５の近傍に取り付けている。また、循環ユニット４１４内には、蒸気吸込口４１５に対向するように循環ファン４１８を配置している。循環ファン４１８は、ファンモータ４１９によって回転駆動される。
【００９１】
上記加熱庫４１３の上面および左側面を覆うように、Ｌ字状に屈曲した蒸気ダクト４１００を取り付けている。この蒸気ダクト４１００は、加熱庫４１３の上面側に固定された第１ダクト部４１１０と、第１ダクト部４１１０の左側方から下側に屈曲する屈曲部４１２０と、加熱庫４１３の左側面側に固定され、屈曲部４１２０を介して第１ダクト部４１１０に連なる第２ダクト部４１３０とを有している。
【００９２】
上記蒸気ダクト４１００の第１ダクト部４１１０に、過熱蒸気生成ヒータ４２０を収納している。この蒸気ダクト４１００の第１ダクト部４１１０と、過熱蒸気生成ヒータ４２０とが、過熱蒸気生成装置４２１を構成している。なお、過熱蒸気生成装置は、蒸気ダクトとは別に設けてもよい。
【００９３】
そして、上記蒸気ダクト４１００の第１ダクト部４１１０の右側は、循環ユニット４１４の上部に設けられた蒸気供給口４２２に連通している。加熱庫４１３の天面には、複数の第１蒸気吹出口４２４が設けられており、蒸気ダクト４１００の第１ダクト部４１１０は、第１蒸気吹出口４２４を介して加熱庫４１３内に連通している。一方、蒸気ダクト４１００の第２ダクト部４１３０は、加熱庫４１３の左側面に設けられた複数の第２蒸気吹出口４２５を介して加熱庫４１３内に連通している。
【００９４】
上記加熱庫４１３と蒸気ダクト４１００との隙間は、耐熱樹脂などによりシールされている。また、加熱庫４１３と蒸気ダクト４１００は、加熱庫４１３の前面開口を除いて断熱材により覆われている。
【００９５】
上記循環ユニット４１４と過熱蒸気生成装置４２１と加熱庫４１３とそれらを接続する接続部材とによって、蒸気の循環経路が形成されている。そして、この循環経路における循環ユニット４１４の加熱庫４１３との境界部に、蒸気発生装置４１２で生成された飽和水蒸気が供給される。
【００９６】
また、上記加熱庫４１３の下部にはマグネトロン４８０(図８参照)が配置されている。このマグネトロン４８０で発生したマイクロ波は、導波管(図示せず)によって加熱庫４１３の下部中央に導かれ、モータ４３７によって駆動される回転アンテナ４３８によって攪拌されながら加熱庫４１３内の上方に向かって放射されて被加熱物４２７を加熱する。この場合、被加熱物４２７は、トレイ４３０や網４４０を使わずに加熱庫４１３内の下側または底面近傍に配置する。
【００９７】
また、上記ケーシング４０１内の下側には、冷却ファン部(図示せず)と、電装部品４１７と、マグネトロン４８０を配置している。電装部品４１７は、加熱調理器４の各部を駆動する駆動回路やこの駆動回路を制御する制御回路等を有している。
【００９８】
図６は、図４に示す操作パネル４０５を拡大した概略図である。
【００９９】
上記ボタン群４０７は、戻るキー４７１、取り消しキー４７２、手動加熱キー４７３およびあたためスタートキー４７４で構成されている。戻るキー４７１は、表示装置の一例としてのカラー液晶パネル４６１の画面表示を直前の画面表示に戻すときに押す。また、取り消しキー４７２は、途中で加熱をやめるときや、操作を取り消すときに押す。そして、手動加熱キー４７３は、高周波出力および加熱出力を手動で設定するときに押す。また、あたためスタートキー４７４は、加熱を開始するときに押す。
【０１００】
また、上記カラー液晶表示部４０６の上側には受光部４５１を設けている。この受光部４５１の後側には、スマートフォン２などからの赤外線を受光部４５１を介して受ける赤外線受光素子４５２を配置している。この赤外線受光素子４５２は画像受信装置の一例である。
【０１０１】
図７は、図６のＦ７−Ｆ７線から見た模式断面図である。
【０１０２】
上記カラー液晶表示部４０６は、カラー液晶パネル４６１上にタッチパネル４６２を重ねて構成されている。なお、カラー液晶表示部４０６に換えて、カラー有機ＥＬ(エレクトロルミネセンス)パネルまたは白黒液晶パネルなどを有する他の表示デバイスを用いて用いてもよい。
【０１０３】
上記カラー液晶パネル４６１は、文字、数字、写真等をカラー表示できるものであり、加熱種類、料理名、加熱時間、温度、料理写真等を表示する。また、タッチパネル４６２は、ユーザーの指のタッチで表面電荷が変化する透明素材からなる静電容量方式のタッチパネルである。これにより、ユーザーはタッチパネル４６２をタッチして、カラー液晶パネル４６１に表示される画像を選択できるようになっている。また、ユーザーがタッチパネル４６２をタッチして、カラー液晶パネル４６１に表示される選択可能な画像を選択すると、その画像の色が変わるようになっている。つまり、カラー液晶パネル４６１に表示される画像は、選択状態の色が非選択状態の色と異なるようになっている。なお、タッチパネル４６２は、例えば、抵抗膜方式、表面弾性波方式、赤外線方式または電磁誘導方式のタッチパネルに換えてもよく、また、指によるタッチパネルの操作だけでなく、タッチペンなどのペン状物体を用いて操作してもよい。
【０１０４】
図８は上記加熱調理器４の制御ブロック図である。
【０１０５】
上記加熱調理器４は、マイクロコンピュータおよび入出力回路などからなる制御装置４２００を電装部品４１７(図２参照)内に備えている。この制御装置４２００には、過熱蒸気生成ヒータ４２０,循環ファン用モータ４１９,冷却ファン用モータ４１６,給気ダンパ用モータ４４４,排気ダンパ用モータ４６０,操作パネル４０５,庫内温度センサ４２９,解凍センサ４５０,赤外線受光素子４５２,給水ポンプ４７０,蒸気発生装置４１２,マグネトロン４８０および記憶部４９０が接続されている。操作パネル４０５からの信号および庫内温度センサ４２９,解凍センサ４５０からの検出信号に基づいて、制御装置４２００は、過熱蒸気生成ヒータ４２０,循環ファン用モータ４１９,冷却ファン用モータ４１６,給気ダンパ用モータ４４４,排気ダンパ用モータ４６０,操作パネル４０５,給水ポンプ４７０,蒸気発生装置４１２およびマグネトロン４８０などを制御する。
【０１０６】
上記記憶部４９０は、変換ルール記憶部４９０ａと、上記表１〜表５のテーブルと同じテーブルを記憶するテーブル記憶部４９０ｂとを有している。
【０１０７】
上記制御装置４２００は、スマートフォン２などの情報端末からの画像Ｇ１００の一部の色ブロックＢ１１，Ｂ１２，…，Ｂ２３０のそれぞれの中央部に基づいて、ＲＧＢ値を取得する情報取得部４２００ａを有している。この情報取得部４２００ａによって取得されたＲＧＢ値は、図９の変換ルールと、下記表７〜下記表１０とを使用して、料理指示値などの指示値に変換される。なお、上記変換ルールは変換ルール記憶部４９０ａに記憶されている。また、情報取得部４２００ａは情報取得手段の一例である。また、情報取得部４２００ａは抽出部の一例である。
【０１０８】
図９の変換ルールは、色ブロックＢ１１，Ｂ１２，…，Ｂ２３０のＲＧＢ値が予め定められた範囲内に入っているとき、同一の値に変換するというものである。より詳しくは、ＲＧＢ値が０〜３１に入っているときは、そのＲＧＢ値を「１」に変換し、また、ＲＧＢ値が０〜３１に入っているときは、そのＲＧＢ値を「２」に変換し、また、ＲＧＢ値が０〜３１に入っているときは、そのＲＧＢ値を「３」に変換し、また、ＲＧＢ値が０〜３１に入っているときは、そのＲＧＢ値を「３」に変換し、また、ＲＧＢ値が０〜３１に入っているときは、そのＲＧＢ値を「５」に変換し、また、ＲＧＢ値が０〜３１に入っているときは、そのＲＧＢ値を「６」に変換し、また、ＲＧＢ値が０〜３１に入っているときは、そのＲＧＢ値を「７」に変換し、また、ＲＧＢ値が０〜３１に入っているときは、そのＲＧＢ値を「８」に変換する。例えば、色ブロックＢ２２７の色が、（Ｒ，Ｇ，Ｂ）＝（１６，４８，４８）で指定される色であると、Ｒ値は「１」に変換される一方、Ｇ値およびＢ値は「２」に変換される。
【０１０９】
下記表６〜下記表９は、図９の変換ルールで変換された値に基づいて、料理指示値などの指示値を特定するためのものである。より詳しくは、図９の変換ルールで変換されたＲ値が「１」に変換されたときは、下記表１を使用して、料理指示値などの指示値を特定し、また、図９の変換ルールで変換されたＲ値が「２」に変換されたときは、下記表２を使用して、料理指示値などの指示値を特定し、また、図９の変換ルールで変換されたＲ値が「３」に変換されたときは、下記表３を使用して、料理指示値などの指示値を特定し、また、図９の変換ルールで変換されたＲ値が「４」に変換されたときは、下記表４を使用して、料理指示値などの指示値を特定する。例えば、図９の変換ルールで（Ｒ，Ｇ，Ｂ）＝（１，１，６）が得られた場合、下記表１を使用して、「５」が特定される。
【０１１０】
【表７】
2014011680.tif 000014
【０１１１】
【表８】
2014011680.tif 000015
【０１１２】
【表９】
2014011680.tif 000016
【０１１３】
【表１０】
2014011680.tif 000017
【０１１４】
上記構成の加熱調理器４において、過熱蒸気によって加熱調理を行う場合には、図５に示す過熱蒸気生成ヒータ４２０をオンすると共に、循環ファン４１８を回転駆動する。そうして、蒸気発生装置４１２から循環ユニット４１４の蒸気吸込口４１５の近傍上流側に供給された飽和水蒸気は、循環ファン４１８の回転によって負圧になっている循環ユニット４１４内に蒸気吸込口４１５を介して吸い込まれて、蒸気供給口４２２から過熱蒸気生成装置４２１内に吹き出される。そして、過熱蒸気生成装置４２１の過熱蒸気生成ヒータ４２０によって加熱されて過熱蒸気となる。この過熱蒸気の一部は、下側の加熱庫４１３の天面に設けられた複数の第１蒸気吹出口４２４から、加熱庫４１３内に下方に向かって吹き出す。また、過熱蒸気の他の一部は、蒸気ダクト４１００を介して加熱庫４１３の第２蒸気吹出口４２５から加熱庫４１３内に吹き出す。
【０１１５】
そして、上記加熱庫４１３内に供給された過熱蒸気は、トレイ４３０上の網４４０に搭載された被加熱物４２７を加熱した後、加熱庫４１３の右壁面に循環ユニット４１４の蒸気吸込口４１５に対向して形成された吸込口４２８から循環ユニット４１４内に吸い込まれる。そうして、再び循環経路を通って加熱庫４１３内に戻るという循環を繰り返す。
【０１１６】
これに対して、非過熱蒸気によって被加熱物４２７を蒸すかまたは暖める運転を行う場合には、過熱蒸気生成ヒータ４２０をオフすると共に、循環ファン４１８を停止する。そうすると、循環ファン４１８が停止しているため、循環経路内に循環気流が発生することがなく、蒸気発生装置４１２から循環ユニット４１４の蒸気吸込口４１５の近傍上流側に供給された飽和水蒸気は、循環ユニット４１４内に強制的に吸い込まれない。これにより、蒸気圧によって自然に加熱庫４１３内に流れ込む飽和水蒸気により、被加熱物４２７を蒸すかまたは暖める。
【０１１７】
ここで、上記加熱庫４１３内の左壁面および右壁面には、図５に示すように、トレイ４３０の両端部を係止する係止部４３９ａ，４３９ｂ，４３９ｃが上下方向に３段に設けられている。そして、蒸気供給管４３４は、上段の係止部４３９ａよりもやや上側に位置するように配置されている。「蒸し暖めモード」において、被加熱物４２７を搭載した２つのトレイ４３０を上段と中段とに配置する場合には、蒸気導入室４３６内に架設された蒸気供給管４３４の総てのノズル(図５の４３４の円形部の左側開口)を加熱庫４１３方向に斜め下向きにしておく。こうすることにより、被加熱物４２７を搭載したトレイ４３０が上段および中段の何れの位置にあっても、蒸気供給管４３４の斜め下向きのノズルから引き出された飽和水蒸気を被加熱物４２７に当てることができる。したがって、蒸気供給管４３４のノズルからの吹き出し方向を操作することなく、上中２段の被加熱物４２７に蒸し斑や暖め斑が生ずることがないようにできる。
【０１１８】
次に、上記スマートフォン２(図１参照)を使ってメニューを追加する方法について説明する。
【０１１９】
図１０は、上記カラー液晶パネル４６１に表示される初期画面の拡大図である。なお、上記初期画面は、加熱調理器４の電源プラグ(図示せず)をコンセントに差し込んだ後、カラー液晶パネル４６１が最初に表示する画面である。
【０１２０】
上記カラー液晶パネル４６１の初期画面には画像Ｇ４０１〜Ｇ４１０が表示される。これらの画像Ｇ４０１〜Ｇ４１０を選択することにより、カラー液晶パネル４６１の切り替わり、加熱調理や設定変更などを行えるようになる。より詳しくは、画像Ｇ４０１は、冷えた料理等を温めるときに選択すべき画像であり、エビフライの絵と、「あたためる」の文字とを含んでいる。また、画像Ｇ４０２は、焼き物およびフライ物を作るときに選択すべき画像であり、ローストチキンの絵と、「焼く・フライ」の文字とを含んでいる。また、画像Ｇ４０３は、料理集内の３００種類以上の料理から希望の料理を探すときに選択すべき画像であり、本の絵と、「お料理集」の文字とを含んでいる。また、画像Ｇ４０４は、牛乳や酒を適温に温めるときに選択すべき画像であり、コップおよび徳利の絵と、「牛乳」および「酒のかん」の文字を含んでいる。また、画像Ｇ４０５は、表示モードを選択するときに選択すべき画像であり、「お好み画面選択」の文字を含んでいる。また、画像Ｇ４０６は、お気に入りメニューおよびオリジナルメニューの料理を作るときに選択すべき画像であり、押しピンの絵と、「マイメニュー」の文字とを含んでいる。また、画像Ｇ４０７は、蒸し物や煮物を作るときに選択すべき画像であり、鍋および蒸籠の絵と、「蒸す・煮る」の文字とを含んでいる。また、画像Ｇ４０８は、代表的なメニューを調理するときの基本的な操作を説明する「料理教室」を見たいときに選択すべき画像であり、コック帽の絵と、「料理教室」の文字とを含んでいる。ここで、「料理教室」とは、代表的なメニューを調理するときの基本的な操作をカラー液晶パネル４６１に表示して説明するものである。また、画像Ｇ４０９は、冷凍食材等を解凍するときに選択すべき画像であり、雪の結晶の絵と、「解凍する」の文字とを含んでいる。また、画像Ｇ４１０は、食器などの除菌、報知音のＯＮ／ＯＦＦの切り替え、加熱庫４１３内の汚れや臭いの除去などを行いときに選択すべき画像である。
【０１２１】
このような構成の初期画面が表示されているときに、ユーザーが、画像Ｇ４０６に重なるタッチパネル４６２の一部にタッチすると、カラー液晶パネル４６１の画面は初期画面から「マイメニュー」の画面に切り換わる。すなわち、ユーザーの画像Ｇ４０７の選択により、カラー液晶パネル４６１が図１１に示す「マイメニュー」の画面を表示する。
【０１２２】
図１１に示す「マイメニュー」の画面には、画像Ｇ４１１〜Ｇ４１４が表示される。この画像Ｇ４１１は、画面の上側に位置し、押しピンの絵と、「マイヘルシオ」の文字とを含んでいる。また、画像Ｇ４１１の下側には、画像Ｇ４１２，Ｇ４１３，Ｇ４１４がこの順で上から下に向かって並んでいる。この画像Ｇ４１２は、図１２に示す「私の登録メニュー」の画面に切り替えたいときに選択すべき画像であり、スマートフォンおよび押しピンの絵と、「私の登録メニュー」の文字とを含んでいる。また、画像Ｇ４１３は、よく使う自動メニューを１６メニューまで登録するときに選択すべき画像であり、押しピンの絵と、「お気に入り自動メニュー」の文字とを含んでいる。ここで、「自動メニュー」とは、メーカが予め加熱調理器４に登録しているメニューを指す。別の言い方をすれば、「自動メニュー」とは、ユーザーが何ら登録操作をしなくても、加熱調理器４で作れるメニューである。また、画像Ｇ４１３は、最近使った４つの自動メニューをカラー液晶パネル４６１に表示させたいときに選択すべき画像であり、時計および押しピンの絵と、「最近使った自動４メニュー」の文字とを含んでいる。
【０１２３】
図１２に示す「私の登録メニュー」の画面には、画像Ｇ４１５〜Ｇ４１８が表示されている。この画面の上側の画像Ｇ４１５は、押しピンの絵と、「私の登録メニュー」の文字とを含んでいる。また、画像Ｇ４１５の下側の画像Ｇ４１６は、スマートフォンおよび写真を示す写真画像と、「メニュー呼び出し」の文字とを含んでいる。この画像Ｇ４１６を指のタッチで選択することにより、ユーザーが登録したオリジナルメニューを呼び出したり、図１３に示す「私の登録メニュー」の画面に進んで登録したメニューを呼び出したりすることができるようになっている。ここで、「オリジナルメニュー」とは、ユーザーが独自に加熱条件やメニュー名などを設定したメニューを指す。また、画像Ｇ４１６の下側では、画像Ｇ４１６と画像Ｇ４１７との間の間隔よりも狭い間隔で、画像Ｇ４１７，Ｇ４１８が上下方向において隣り合っている。また、画像Ｇ４１７内の背景色と画像Ｇ４１８内の背景色は、互いに同じ色で、かつ、画像Ｇ４１６内の背景色とは異なる色となっている。この画像Ｇ４１７は、オリジナルメニューを登録するときに選択すべき画像であり、「メニュー登録・変更」の文字を含んでいる。一方、画像Ｇ４１８は、図１３に示す登録前のメニュー登録の画面に切り替えたいときに選択すべき画像であり、スマートフォンから加熱調理器４に画像を送っている様子を示す絵と、「マイレシピから受信」の文字とを含んでいる。
【０１２４】
図１３に示す登録前のメニュー登録の画面には、画像Ｇ４１９〜Ｇ４２４が表示される。この画面の上側の画像Ｇ４１９は、押しピンの絵と、「私の登録メニュー」の文字とを含んでいる。また、上記画面の中央の画像Ｇ４２０は「未登録」の文字を含んでいる。また、画像Ｇ４２０の右上角部上には、「私の登録メニュー」の画面の第１画面であることを示すＧ４１８(「１／２５」)が重なっている。また、画像Ｇ４２０の下側には、画像Ｇ４２２(「＜前へ」)，Ｇ４２３(「登録・変更」)，Ｇ４２４(次へ＞)がこの順で左右方向に並んで表示されている。この画像Ｇ４２３を指のタッチで選択すると、図１４に示す赤外線受信をスタートさせるための画面に切り替わる。また、図示しないが、「オリジナルメニュー登録」の画面は、上記第１画面以外にも、第２画面〜第２５画面がある。この第１画面〜第２５画面の切り替えは、画像Ｇ４１９，Ｇ４２１を指のタッチで行えるようになっている。なお、画像Ｇ４２０は「未登録」は、料理写真などを示す画像などを「私の登録メニュー」の画面の第１画面に登録することで、上記画像と入れ替わるようになっている。
【０１２５】
図１４に示す赤外線受信をスタートさせるための画面には、画像Ｇ４２５〜Ｇ４２７が表示される。この画面の上側の画像Ｇ４２５は、押しピンの絵と「私の登録メニュー登録」の文字とを含んでいる。また、画像Ｇ４２５の下側の画像Ｇ４２６は、赤外線受信をスタートするときに選択すべき画像であり、「赤外線受信スタート」の文字を含んでいる。この画像Ｇ４２６が上部に重ねられている画像Ｇ４２７は、「携帯電話から画像を送信する準備ができたら上のキーをタッチしてください」の文字と、鉛筆の絵と、「事前に携帯電話の赤外線ポートの位置を確認してください」の文字とを含んでいる。ここで、画像Ｇ４２２を指のタッチで選択すると、図１５に示す赤外線受信待ち中の画面に切り替わる。
【０１２６】
図１５に示す赤外線受信待ち中の画面には、画像Ｇ４２８，Ｇ４２９が表示されている。この画面の大部分を使って表示される画像２８は、スマートフォンが取るべき送信状態を示す絵と、「受信部に向けて送信し受信完了まで動かさないでください」の文字とを含んでいる。一方、上記画面の右下側の画像Ｇ４２９は、赤外線受信を中止するときに選択すべき画像であり、「中止」の文字を含んでいる。
【０１２７】
上記赤外線受信が始まると、図１６に示す受信中の画面に切り換わる。この画面の大部分を使って画像Ｇ４３０(「受信中」)が表示されている。また、上記画面の中央の画像Ｇ４３１は、複数の小円が連なって大円を描くように移動する様子を示している。また、上記画面の右下側の画像２９を指のタッチで選択することにより、赤外線受信が始まっても、赤外線受信を中止できるようになっている。
【０１２８】
そして、上記赤外線受信が完了すると、図１７に示す赤外線受信完了の画面に切り換わる。この画面の上側に画像Ｇ４３２(「受信しました」)を表示し、表示画面の中央に第１画像Ｇ１０１(玉ねぎとなすのオイル焼きの写真)を表示している。また、上記画面の左下側の画像Ｇ４３３は、スマートフォン２の画像を再送信するときに選択する画像であり、「再送信」の文字を含んでいる。また、上記画面の右下側の画像Ｇ４４３４は、画像を登録するときに選択すべき画像であり、「登録」の文字を含んでいる。
【０１２９】
また、図１７に示すように、赤外線受信完了の画面に切り換わったとき、画像Ｇ４４３４を指のタッチで選択すると、図１８に示すメニュー登録完了の画面に切り替わる。この画面の上側には第２画像Ｇ１０２が表示されている。また、上記画面の中央には第１画像Ｇ１０１を表示している。この第１画像Ｇ１０１の右上角部には画像２１が重なっている。また、上記画面の下側の画像Ｇ４４３５は、「登録しました」の文字を含んでいる。
【０１３０】
図１８に示すメニュー登録完了の画面に切り替わってから、予め定められた時間(例えば２秒)が経過すると、自動的に、図１９に示す登録後のメニュー登録の画面に切り替わる。この画面は、画像Ｇ４２２，Ｇ４３６(「決定」)，Ｇ４２４を除いて、図１９の画面と同じである。なお、図１８の画像Ｇ４２１の位置、表示および役割は図１３の画像Ｇ４２１の位置、表示および役割と同じである。
【０１３１】
図１９の画面において、画像Ｇ４３６を指のタッチで選択すると、図２０に示すように、第１画像Ｇ１０１のメニューを作るための加熱処理が開始する直前の画面に切り替わる。なお、図１９の画像Ｇ４２１，Ｇ４２２，Ｇ４２４の位置、表示および役割は図１３の画像Ｇ４２１，Ｇ４２２，Ｇ４２４の位置、表示および役割と同じである。
【０１３２】
図２０の加熱処理開始直前の画面には、画像Ｇ４３７〜Ｇ４４６が表示されている。この画面の左上側の画像Ｇ４３７は「手動」の文字を含んでいる。また、画像Ｇ４３７下には画像Ｇ４１８１(「ウォーターグリル」)を表示している。また、上記画面の中央より少し上側には、画像Ｇ４３９(「予熱あり」)，Ｇ４４０(「予熱なし」)を左右に並べて表示している。一方、上記画面の中央より少し下側には、画像Ｇ４４１(加熱時間)が表示されている。また、画像Ｇ４４１下には、左側から右側に向かって画像Ｇ４４２(「１０分」)，Ｇ４４３(「１分」)，Ｇ４４４(「１０秒」)、Ｇ４４５(「クリア」)が表示されている。さらに、上記画面の下側には画像Ｇ４４６(「スタートを押します」)が表示されている。
【０１３３】
ここで、図６に示すあたためスタートキー４７４を押すと、制御装置４２００の制御により過熱水蒸気を用いたグリル加熱が開始される。
【０１３４】
図２１は、上記スマートフォン２などの情報端末からの画像を処理する方法を説明するための図である。
【０１３５】
上記画像Ｇ１００は、図２１に示すように、第１画像Ｇ１０１、第２画像Ｇ１０２、第３画像Ｇ１０３および第４画像Ｇ１０４で構成されているが、制御装置４２００の処理により、第１画像Ｇ１０１および第２画像Ｇ１０２はカラー液晶パネル４６１に表示されるが、第３画像Ｇ１０３および第４画像Ｇ１０４はカラー液晶パネル４６１に表示されないようになる。
【０１３６】
図２２は、上記制御装置４２００の処理を説明するためのフローチャートである。この制御装置４２００の処理は、スマートフォン２などの情報端末からの画像を赤外線受光素子４５２で受信することに応じてスタートする。
【０１３７】
上記制御装置４２００の処理がスタートとすると、まず、ステップＳ１０１で、赤外線受光素子４５２で受信した画像のサイズが予め定められた画像サイズであるか否かを判定する。このステップＳ１０１で、赤外線受光素子４５２で受信した画像のサイズが予め定められた画像サイズであると判定すると、次のステップＳ１０２に進む。一方、ステップＳ１０１で、赤外線受光素子４５２で受信した画像のサイズが予め定められた画像サイズでないと判定すると、ステップＳ１１１に進み、上記画像をそのまま記憶部４９０に記憶させた後、制御装置４２００の処理がエンドになる。例えば、カメラ付き携帯電話で取った写真画像を赤外線受光素子４５２で受信すると、ステップＳ１１１を経由して、制御装置４２００の処理がエンドになる。
【０１３８】
次に、ステップＳ１０２で、赤外線受光素子４５２で受信した画像のためのチェックサムで誤りが検出されたか否かを判定する。このステップＳ１０２で、赤外線受光素子４５２で受信した画像のためのチェックサムで誤りが検出されていないと判定すると、次のステップＳ１０３に進む。一方、ステップＳ１０２で、赤外線受光素子４５２で受信した画像のためのチェックサムで誤りが検出されていないと判定すると、次のステップＳ１０３に進む。一方、ステップＳ１０２で、赤外線受光素子４５２で受信した画像のためのチェックサムで誤りが検出されたと判定すると、ステップＳ１１１に進み、上記画像をそのまま記憶部４９０に記憶させた後、制御装置４２００の処理がエンドになる。
【０１３９】
上記チェックサムで誤りの検出は、赤外線受光素子４５２で受信した画像が色ブロックＢ１１，Ｂ１２，…，Ｂ２３０を含んでいると判定されると、色ブロックＢ１５，Ｂ１３０のためのＲＧＢ値を用いて行われる。より詳しくは、色ブロックＢ２２７，Ｂ２２８，Ｂ２２９，Ｂ２３０，Ｂ１１，Ｂ１２，Ｂ１３，Ｂ１４のデータの総和が、色ブロックＢ１５によるチェックサム値と一致するか否かを判定する。さらに、色ブロックＢ１１，Ｂ１２，…，Ｂ２２９のデータの総和が、色ブロックＢ３０によるチェックサム値と一致するか否かを判定する。そして、色ブロックＢ２２７，Ｂ２２８，Ｂ２２９，Ｂ２３０，Ｂ１１，Ｂ１２，Ｂ１３，Ｂ１４のデータの総和が、色ブロックＢ１５によるチェックサム値と一致すると判定し、かつ、色ブロックＢ１１，Ｂ１２，…，Ｂ２２９のデータの総和が、色ブロックＢ３０によるチェックサム値と一致する判定すると、次のステップＳ１０３に進む。一方、色ブロックＢ２２７，Ｂ２２８，Ｂ２２９，Ｂ２３０，Ｂ１１，Ｂ１２，Ｂ１３，Ｂ１４のデータの総和が、色ブロックＢ１５によるチェックサム値と一致しないと判定されるか、色ブロックＢ１１，Ｂ１２，…，Ｂ２２９のデータの総和が、色ブロックＢ３０によるチェックサム値と一致しないと判定されると、ステップＳ１１１に進む。なお、赤外線受光素子４５２で受信した画像が色ブロックＢ１１，Ｂ１２，…，Ｂ２３０を含んでいないと判定されたときは、チェックサムで誤りの検出は行われずに、ステップＳ１１１に進む。
【０１４０】
次に、ステップＳ１０３で、赤外線受光素子４５２で受信した画像のための情報が特定コードを含んでいるか否かを判定する。このステップＳ１０３で、赤外線受光素子４５２で受信した画像のための情報が特定コードを含んでいると判定すると、次のステップＳ１０４に進む。一方、ステップＳ１０３で、赤外線受光素子４５２で受信した画像のための情報が特定コードを含んでいないと判定すると、ステップＳ１１１に進み、画像全体保存を行った後、つまり、赤外線受光素子４５２で受信した画像をそのまま記憶部４９０に記憶させた後、制御装置４２００の処理がエンドになる。
【０１４１】
上記赤外線受光素子４５２で受信した画像のための情報が特定コードを含んでいるとは、色ブロックＢ２１，Ｂ２２，…，Ｂ２１４のためのＲＧＢ値が予め定めた特定コードを示すためのものであることに相当する。一方、赤外線受光素子４５２で受信した画像のための情報が特定コードを含んでいないとは、色ブロックＢ２１，Ｂ２２，…，Ｂ２１４のためのＲＧＢ値が予め定めた特定コードを示すためのものでないことに相当する。
【０１４２】
次に、ステップＳ１０４で、赤外線受光素子４５２で受信した画像のための情報による機種が予め定められた機種と一致するか否かを判定する。すなわち、ステップＳ１０４において、色ブロックＢ２１５，Ｂ２１６，…，Ｂ２２６のためのＲＧＢ値が示す機種が加熱調理器４の機種と一致するか否かを判定する。このステップＳ１０４において、色ブロックＢ２１５，Ｂ２１６，…，Ｂ２２６のためのＲＧＢ値が示す機種が加熱調理器４の機種と一致すると判定すると、次のＳ１０５に進む。一方、ステップＳ１０４において、色ブロックＢ２１５，Ｂ２１６，…，Ｂ２２６のためのＲＧＢ値が示す機種が加熱調理器４の機種と一致しないと判定すると、ステップＳ１２１に進み、画像の切り出し保存を行った後、上記制御装置４２００の処理がエンドになる。このステップＳ１２１の「画像の切り出し保存」とは、第１画像Ｇ１０１を記憶部４９０に記憶させて、カラー液晶パネル４６１が第１画像Ｇ１０１を表示できるようにすることを意味する。また、ステップＳ１２１の「画像の切り出し保存」により、カラー液晶パネル４６１は第２画像Ｇ１０２、第３画像Ｇ１０３および第４画像Ｇ１０４を表示できないようになる。なお、制御装置４２００の処理がステップＳ１２１を経由してエンドになった場合、ユーザーが、第１画像Ｇ１０１のメニューを作るための加熱条件を自由に設定して実行できるようにしてもよい。
【０１４３】
最後に、ステップＳ１０５で、画像の切り出し保存を行うと共に、色ブロックＢ２２７，Ｂ２２８，Ｂ２２９，Ｂ２３０，Ｂ１１，Ｂ１２，Ｂ１３，Ｂ１４による加熱情報を記憶部４９０に記憶させて、上記制御装置４２００の処理がエンドになる。このステップＳ１０５の「画像の切り出し保存」とは、第１画像Ｇ１０１および第２画像Ｇ１０２を記憶部４９０に記憶させて、カラー液晶パネル４６１が第１画像Ｇ１０１および第２画像Ｇ１０２を表示できるようにすることを意味する。また、ステップＳ１０５の「画像の切り出し保存」により、カラー液晶パネル４６１は第３画像Ｇ１０３および第４画像Ｇ１０４を表示できないようになる。また、上記加熱情報の記憶により、第１画像Ｇ１０１および第２画像Ｇ１０２のメニューを作るための加熱処理を実行できるようになる。
【０１４４】
本実施形態において、ステップＳ１０１，Ｓ１０２，Ｓ１０３は画像判定手段の一例で、ステップＳ１０４は機種判定手段の一例で、ステップＳ１０５は画像表示選択手段および文字画像表示手段の一例で、ステップＳ１２１は画像表示選択手段の一例である。
【０１４５】
したがって、上記サーバ装置１から例えばＪＰＥＧ画像の画像Ｇ１００をスマートフォン２にダウンロードした後、その画像Ｇ１００を加熱調理器４に送った場合、ステップＳ１０５により、第１画像Ｇ１０１および第２画像Ｇ１０２はカラー液晶パネル４６１の画面に表示されるようになるが、第３画像Ｇ１０３および第４画像Ｇ１０４はカラー液晶パネル４６１の画面に表示されないようになるので、カラー液晶パネル４６１の表示の自由度が低下するのを防ぐことができる。
【０１４６】
また、上記ステップＳ１２１によっても、ステップＳ１０５と同様に、カラー液晶パネル４６１の表示の自由度が低下するのを防ぐことができる。
【０１４７】
また、上記記憶部４９０に記憶させた加熱情報は、色ブロックＢ２２７，Ｂ２２８，Ｂ２２９，Ｂ２３０，Ｂ１１，Ｂ１２，Ｂ１３，Ｂ１４のためのＲＧＢ値に基づいて求められている。したがって、上記加熱調理器４は加熱情報を正確かつ確実に取得できる。
【０１４８】
例えば、上記サーバ装置１からＪＰＥＧ形式の画像Ｇ１００をスマートフォン２にダウンロードした後、その画像Ｇ１００を加熱調理器４に送った場合、予熱なし、５００Ｗ、８０℃、１９分、ＷＯ・グリルの加熱情報を記憶部４９０に記憶できる。
【０１４９】
より詳しくは、上記加熱調理器４が画像Ｇ１００を受信した場合、色ブロックＢ２２７〜Ｂ２３０，Ｂ１１〜Ｂ１４のためのＲＧＢ値が本来のＲＧＢ値のままであれば、色ブロックＢ２２７の色が（Ｒ，Ｇ，Ｂ）＝（１６，４８，４８）で指定される色に、また、色ブロックＢ２２８の色が（Ｒ，Ｇ，Ｂ）＝（１６，１６，８０）で指定される色に、また、色ブロックＢ２２９の色が（Ｒ，Ｇ，Ｂ）＝（１６，１６，８０）で指定される色に、また、色ブロックＢ２３０の色が（Ｒ，Ｇ，Ｂ）＝（１１２，２４０，２４０）で指定される色に、また、色ブロックＢ１１の色が（Ｒ，Ｇ，Ｂ）＝（１６，４８，４８）で指定される色に、また、色ブロックＢ１２の色が（Ｒ，Ｇ，Ｂ）＝（１６，１６，１６）で指定される色に、また、色ブロックＢ１３の色が（Ｒ，Ｇ，Ｂ）＝（１６，８０，１１２）で指定される色に、また、色ブロックＢ１４の色が（Ｒ，Ｇ，Ｂ）＝（１６，１６，１６）で指定される色になる。
【０１５０】
これらのＲＧＢ値を図９の変換ルールで変換すると、色ブロックＢ２２７はＲ：１，Ｇ：２，Ｂ：２に、また、色ブロックＢ２２８はＲ：１，Ｇ：１，Ｂ：３に、また、色ブロックＢ２２９はＲ：１，Ｇ：１，Ｂ：３に、また、色ブロックＢ２３０はＲ：４，Ｇ：８，Ｂ：８に、また、色ブロックＢ１１はＲ：１，Ｇ：２，Ｂ：２に、また、色ブロックＢ１２はＲ：１，Ｇ：１，Ｂ：１に、また、色ブロックＢ１３はＲ：１，Ｇ：３，Ｂ：４に、また、色ブロックＢ１４はＲ：１，Ｇ：１，Ｂ：１になる。そして、上記表６〜上記表９を使って料理指示値などの指示値を特定すると、色ブロックＢ２２７の料理指示値は「９」に、また、色ブロックＢ２２８の予熱条件指示値は「２」に、また、色ブロックＢ２２９の加熱出力指示値は「２」に、また、色ブロックＢ２３０の庫内温度指示値は「２５５」に、また、Ｂ１１の庫内温度指示値は「９」に、また、Ｂ１２の時指示値は「０」に、また、Ｂ１３の分指示値は「１９」に、また、Ｂ１４の秒指示値は「０」になる。
【０１５１】
その結果、上記表１〜表５のテーブルと同じテーブルを使って、予熱なし、５００Ｗ、８０℃、１９分、ＷＯ・グリルの加熱情報が得られる。
【０１５２】
また、上記色ブロックＢ１１，Ｂ１２，…，Ｂ２３０は複数の画素からなるので、色ブロックＢ１１，Ｂ１２，…，Ｂ２３０は、ＢＭＰ形式で作成された後、ＪＰＥＧ形式に変換されたものであっても、色ブロックＢ１１，Ｂ１２，…，Ｂ２３０の劣化を防ぐことができる。
【０１５３】
また、上記色ブロックＢ１１，Ｂ１２，…，Ｂ２３０は、ＲＧＢ関数によって指定される色を呈するので、色ブロックＢ１１，Ｂ１２，…，Ｂ２３０で示せる情報を増やすことができる。
【０１５４】
また、上記色ブロックＢ１１，Ｂ１２，…，Ｂ２３０のためのＲＧＢ値に基づいて、料理指示値などの指示値を得るとき、図９の変換ルールを用いるので、料理指示値などの指示値の誤取得を防ぐことができる。
【０１５５】
また、上記色ブロックＢ１１，Ｂ１２，…，Ｂ２３０のそれぞれの周縁部は他の画像の影響で変化しやすい。これに対して、色ブロックＢ１１，Ｂ１２，…，Ｂ２３０のそれぞれの中央部は他の画像の影響で変化しにくい。したがって、情報取得部４２００ａが、色ブロックＢ１１，Ｂ１２，…，Ｂ２３０のそれぞれの中央部に基づいて、ＲＧＢ値を取得するので、情報取得部４２００ａが取得したＲＧＢ値の信頼性を高めることができる。
【０１５６】
また、上記ステップＳ１０１〜Ｓ１０３によって、赤外線受光素子４５２で受信した画像が第１画像Ｇ１０１のような有意の画像を含んでいるか否を判定するので、この判定の信頼性を高めることができる。
【０１５７】
また、上記赤外線受光素子４５２で受信した画像のための情報が示す機種が加熱調理器４の機種と一致しないときは、ステップＳ１２１で第２画像Ｇ１０２はカラー液晶パネル４６１の画面に表示されるようになるので、ユーザーは機種の一致または不一致を容易に知ることができる。
【０１５８】
図２３は、上記制御装置４２００の処理がステップＳ１０４を経由してエンドになった後、カラー液晶パネル４６１に表示される一画面を示す図である。
【０１５９】
図２３の画面では、第１画像Ｇ１０１、第２画像Ｇ１０２、画像Ｇ４２１，Ｇ４２２，Ｇ４２４，Ｇ４４７が表示されている。この画像Ｇ４４７は、「登録・変更」の文字を含んでおり、画像Ｇ４２２と画像Ｇ４２４との間に位置している。そして、画像Ｇ４４７を指のタッチで選択した場合、図２４に示すように、メニュー名、写真および加熱条件の変更不可を報知するための画面に切り替わる。このとき、もし、画像Ｇ４４７上に表示されている画像が、サーバ装置で生成された画像による画像でなければ、図２５に示すように、メニュー名、写真および加熱条件を変更するための画面に切り替わる。すなわち、画像Ｇ４１８の選択で登録したメニューの表示や基本設定は変更できないが、画像Ｇ４１７の選択で登録したオリジナルメニューの表示や基本設定は変更できるようになっている。なお、図２３の画像Ｇ４２１，Ｇ４２２，Ｇ４２４の位置、表示および役割は図１３の画像Ｇ４２１，Ｇ４２２，Ｇ４２４の表示および役割と同じである。
【０１６０】
図２４のメニュー名、写真および加熱条件の変更不可を報知するための画面には、画像Ｇ４２５，Ｇ４４８，Ｇ４４９，Ｇ４５０が表示される。この画像Ｇ４４８は、「マイレシピからダウンロードしたメニューは変更できません」の文字を含んでいる。この画像Ｇ４４９の下側では、画像Ｇ４４９(「削除する」)を左側に位置する一方、画像Ｇ４５０(「このメニューを先頭に移動する」)が右側に位置している。この画像Ｇ４４９は、カラー液晶パネル４６１に直前に表示されていたメニューの情報を削除するときに選択すべき画像である。また、画像Ｇ４５０は、カラー液晶パネル４６１に直前に表示されていたメニューを先頭に表示させたいときに選択すべき画像である。より詳しくは、画像Ｇ４５０を指のタッチで選択すると、この選択の直前にカラー液晶パネル４６１に表示されていたメニューが、「オリジナルメニュー登録」の画面の第１画面に表示するようになる。なお、図２４の画像Ｇ４２５の位置、表示および役割は図１４の画像Ｇ４２５の位置、表示および役割と同じである。
【０１６１】
図２５のメニュー名、写真および加熱条件を変更するための画面には、画像Ｇ４２５，Ｇ４４９〜Ｇ４５５が表示される。この画像Ｇ４２５の下側の画像Ｇ４５１は、「登録・変更する項目をお選びください」の文字を含んでいる。また、上記画面の中央部は上下に３分割され、上段の画像Ｇ４５２は、メニュー名を登録するときに選択すべき画像であり、「メニュー名」,「登録」の文字を含んでいる。また、上記画面の中央部の中段の画像Ｇ４５３は、写真を登録するときに選択すべき画像であり、「写真」,「登録」の文字を含んでいる。また、上記画面の中央部の下段の画像Ｇ４５４は、加熱条件を登録するときに選択すべき画像であり、「加熱条件」,「登録」の文字を含んでいる。そして、画像Ｇ４５４の下側の画像Ｇ４５５は、「登録完了」の文字を含んでいる。ここで、メニュー名、写真および加熱条件が未登録であれば、画像Ｇ４５２，Ｇ４５３，Ｇ４５４の「登録」は「未登録」となる。なお、図２５の画像Ｇ４２５の位置、表示および役割は図１４の画像Ｇ４２５の位置、表示および役割と同じである。また、図２５の画像Ｇ４４９，Ｇ４５０の位置、表示および役割は図２４の画像Ｇ４４９，Ｇ４５０の位置、表示および役割と同じである。
【０１６２】
上記実施形態では、サーバ装置１のＪＰＥＧ形式の画像を、スマートフォン２およびネットワーク３を介して、加熱調理器４に送っていたが、サーバ装置１のＪＰＥＧ形式の画像を、スマートフォン２を介さずに、ネットワーク３のみを介して、加熱調理器４に送ってもよい。
【０１６３】
上記実施形態では、サーバ装置１のＪＰＥＧ形式の画像を、加熱調理器４に送っていたが、冷蔵庫や炊飯器といった他の画像データを表示可能な電気機器に送ってもよい。
【０１６４】
上記実施形態では、色ブロックＢ１１，Ｂ１２，…，Ｂ２３０のそれぞれのカラーは、ＲＧＢ値でしていたが、ＲＧＢＹ値で指定されるようにしてもよいし、あるいは、白黒にしてよいし、あるいは、白、黒およびグレーにしてもよい。この白、黒およびグレーにする場合、２５６階調表示ができるようにしてもよい。
【０１６５】
上記実施形態では、ＢＭＰ形式の画像を不可逆形式の一例としてのＪＰＥＧ形式に変換していたが、元の画像の形式はＢＭＰ形式以外の形式(例えばＴＩＦＦ(ティフ)形式やＧＩＦ(ギフ)形式など）にしてもよく、また、変換後の画像の形式もＪＰＥＧ形式以外の不可逆形式にしてもよい。
【０１６６】
上記実施形態では、色ブロックＢ１１，Ｂ１２，…，Ｂ２３０は、表示部１０３の画面の下縁部のみに位置するようにしていたが、表示部１０３の画面の左縁部，右縁部，上縁部のうちの少なくとも１つのみに位置するようにしてもよいし、あるいは、表示部１０３の画面の左縁部，右縁部，上縁部，下縁部のうちの２つ以上に位置するようにしてもよい。
【０１６７】
上記実施形態では、庫内温度を２つの色ブロックＢ２３０,Ｂ１１で示すようにしていたが、庫内温度を１の色ブロックで示すようにしてもよい。
【０１６８】
上記実施形態では、図９の変換ルールで決まるＲ値が１となるときの表７と、図９の変換ルールで決まるＲ値が２となるときの表８と、図９の変換ルールで決まるＲ値が３となるときの表９と、および、図９の変換ルールで決まるＲ値が４となるときの表１０とを用いて、１バイトの情報を得ていたが、表７〜表８と、図９の変換ルールで決まるＲ値が５、６、７、８となるときの表とを用いて、２バイトの情報を得るようにしてもよい。
【０１６９】
上記実施形態では、赤外線を使って、スマートフォン２などの情報端末からの画像を加熱調理器４に送っていたが、有線、ブルートゥースまたはＷｉ−Ｆｉ（ワイファイ）などを使って、スマートフォン２などの情報端末からの画像を加熱調理器４に送るようにしてもよい。
【０１７０】
上記実施形態では、色ブロックＢ１１，Ｂ１２，…，Ｂ２３０は複数の画素からなっていたが、１つの画素からなるようにしてもよい。
【０１７１】
上記実施形態では、色ブロックＢ１１，Ｂ１２，…，Ｂ２３０が加熱情報を持つようにしていたが、色ブロックＢ１１，Ｂ１２，…，Ｂ２３０以外の画像が加熱情報を持つようにしてもよい。
【０１７２】
上記実施形態では、加熱調理器は、過熱水蒸気を使用するオーブンレンジであったが、過熱水蒸気を使用するオーブン、過熱水蒸気を使用しないオーブンレンジ、過熱水蒸気を使用しないオーブンなどにしてもよい。
【０１７３】
本発明の画像データを表示可能な電気機器は、予め定めた階調と埋め込み情報との対比によって、画像中に埋め込まれた埋め込み情報を抽出する抽出部を備える。
【０１７４】
一実施形態の画像データを表示可能な電気機器では、上記画像中に埋め込まれる埋め込み情報は、複数の画素を集合させた色ブロックであってもよい。
【０１７５】
一実施形態の画像データを表示可能な電気機器では、上記抽出部は、上記色ブロックの略中央部の色情報に基づいて、上記埋め込み情報を取り出す。
【０１７６】
一実施形態の画像データを表示可能な電気機器では、上記色情報は複数階調で表現される色情報であり、上記複数階調を上記色情報への割り当て方として、階調に所定の幅を持たせるようにしてもよい。
【０１７７】
一実施形態の画像データを表示可能な電気機器では、上記抽出部によって抽出された埋め込み情報を演算することによりデータエラー発生の有無を確認してもよい。
【０１７８】
一実施形態の画像データを表示可能な電気機器では、上記色ブロックを削除して表示してもよい。
【０１７９】
一実施形態の画像データを表示可能な電気機器では、上記抽出部によって抽出された埋め込み情報のデータサイズが所定の値の場合に、上記埋め込み情報を抽出してもよい。
【符号の説明】
【０１８０】
１  サーバ装置
２  スマートフォン
３  ネットワーク
４  加熱調理器
４５２  赤外線受光素子
４６１  カラー液晶パネル
４２００  制御装置
４２００ａ  情報取得部
Ｂ１１，Ｂ１２，…，Ｂ２３０  色ブロック
Ｇ１００  画像
Ｇ１０１  第１画像
Ｇ１０２  第２画像
Ｇ１０３  第３画像
Ｇ１０４  第４画像
【図１】
2014011680.tif 000018
【図４】
2014011680.tif 000019
【図５】
2014011680.tif 000020
【図７】
2014011680.tif 000021
【図８】
2014011680.tif 000022
【図９】
2014011680.tif 000023
【図２２】
2014011680.tif 000024
【図２】
2014011680.tif 000025
【図３】
2014011680.tif 000026
【図６】
2014011680.tif 000027
【図１０】
2014011680.tif 000028
【図１１】
2014011680.tif 000029
【図１２】
2014011680.tif 000030
【図１３】
2014011680.tif 000031
【図１４】
2014011680.tif 000032
【図１５】
2014011680.tif 000033
【図１６】
2014011680.tif 000034
【図１７】
2014011680.tif 000035
【図１８】
2014011680.tif 000036
【図１９】
2014011680.tif 000037
【図２０】
2014011680.tif 000038
【図２１】
2014011680.tif 000039
【図２３】
2014011680.tif 000040
【図２４】
2014011680.tif 000041
【図２５】
2014011680.tif 000042